(57)【特許請求の範囲】
【請求項１】
引出をスライド自在に収納可能な収納庫であって、
前記引出内に配置され内部に物品を収納可能な収納部と、
前記収納部から前記引出の後方に延びるアームと、
前記アームの後端近傍に取り付けられ前後方向に離間した２以上のプーリと、
当該収納庫の壁面に設置され前記２以上のプーリを案内するレール部材とを備え、
前記レール部材は、前記引出を引き出すに従って、前方にあるプーリに対して後方にあるプーリを相対的に下方に案内することにより、前記アームを回動させて、前記収納部を上昇させることを特徴とする収納庫。
【請求項２】
前記レール部材は、前記プーリが当接する走行面の縁に脱輪防止用のリブを備えていることを特徴とする請求項１に記載の収納庫。
【請求項３】
前記レール部材は前記引出の移動方向に延設された板状の基部の上面に上レールを、下面に下レールを、基部の中央に当該収納庫の後方から前方に向かって下降する溝を有し、
前記２以上のプーリは、前記上レールに当接する上プーリと、前記下レールに当接する下プーリと、前記溝に挿入される中央プーリとを含むことを特徴とする請求項１または２に記載の収納庫。
【請求項４】
前記アームは前記収納部に対して着脱可能であることを特徴とする請求項１から３のいずれか１項に記載の収納庫。
【発明の詳細な説明】
【技術分野】
【０００１】
本発明は、引出を備える収納庫に関する。
【背景技術】
【０００２】
一般家庭等において、システムキッチンが広く普及している。システムキッチンには、調理器具や調理材料、食器などを収納しておくために、多くの収納スペースが設定されている。例えば、通常、天板（ワークトップ）の下には引出や開き戸が設けられる。近年では収納される物品をある程度想定して、引出の大きさや仕切りの形状を工夫することにより、使い勝手の向上が図られている。
【０００３】
システムキッチンの使い勝手のさらなる向上のために、本件出願人は、システムキッチンに備えられる収納庫の引出内部に物品を収納可能な収納部（載置部材）を設け、引出の開け閉めに伴いこの収納部を昇降させる構造について提案した（特許文献１参照）。
【０００４】
詳細には、特許文献１では間接的に収納部に長尺形状のアームの一端（前端）を連結し、アームの他端（後端）にプーリを連結する。また、収納庫の壁面に、収納庫の後方から前方に向かって上昇する傾斜を有するレールを設定する。これにより、引出を引き出す際には、かかるレールの傾斜をプーリが昇ることにより収納部が上昇し、引出を押し込む際には、かかるレールの傾斜をプーリが降ることにより収納部が下降するように構築している。
【先行技術文献】
【特許文献】
【０００５】
【特許文献１】特開２０１０−２０１０６２号公報
【発明の概要】
【発明が解決しようとする課題】
【０００６】
上記特許文献１の技術は有益なものであったが、現在でもより良い製品を求めて改良が求められている。その改良の１つとしては、収納部の昇降動作をより円滑にさせることが挙げられる。すなわち、収納部が上昇しきったとき、または下降しきったときのがたつきを抑え、滑らかさを増すような構造が望まれている。
【０００７】
また、収納部は、引出を引き出した早期の時点（わずかに収納庫から露出した時点）で上昇することが好ましい。引出を全開にせずとも、少ない引出量で収納部が上昇すれば、頻繁に使用する道具を取り出しやすくなるからである。しかしながら、早期の時点で上昇させるということは昇降動作が急激になり、レール（傾斜）が急角度になるため、滑らかさを失ってしまうという問題がある。
【０００８】
特に、上記特特許文献１の技術ではアームを上下方向に平行移動させて収納部を昇降しているので、プーリが昇降した分しか収納部が昇降しない（プーリの昇降量：収納部の昇降量＝１：１）。換言すれば、収納部を昇降させたい分だけレールの上下幅が必要となるため、レールの上下幅が大型化しがちであり、仕様によってはレイアウト上の問題を生じるおそれがある。
【０００９】
本発明はこのような課題に鑑みてなされたものであり、収納部の円滑な昇降動作と早期上昇とを両立し、かつレール部材の小型化を図ることが可能な収納庫を提供することを目的とする。
【課題を解決するための手段】
【００１０】
上記課題を解決するために本発明にかかる収納庫の代表的な構成は、引出をスライド自在に収納可能な収納庫であって、引出内に配置され内部に物品を収納可能な収納部と、収納部から引出の後方に延びるアームと、アームの後端近傍に取り付けられ前後方向に離間した２以上のプーリと、当該収納庫の壁面に設置され２以上のプーリを案内するレール部材とを備え、レール部材は、引出を引き出すに従って、前方にあるプーリに対して後方にあるプーリを相対的に下方に案内することにより、アームを回動させて、収納部を上昇させることを特徴とする。
【００１１】
上記構成では、引出を引き出す際に、アームが回動して収納部が上昇する。そのため、特許文献１のようにアームを上下方向に平行移動して収納部を上昇させるよりも、一連の動作（昇降動作）を円滑に行うことが可能である。また、アームを回動させて収納部を上昇させるようにしたことで、プーリが上下移動するよりも大きく収納部を上昇させる（プーリの上下移動量＜収納部の上昇量）ことが可能である。これらのことから、収納部の円滑動作と早期上昇とを両立し、レール部材の小型化を図ることができ、仕様によっては生じていたレイアウト上の問題を解決できる。
【００１２】
上記レール部材は、上記プーリが当接する走行面の縁に脱輪防止用のリブを備えているとよい。これにより、プーリの脱落を防止することができる。
【００１３】
上記レール部材は上記引出の移動方向に延設された板状の基部の上面に上レールを、下面に下レールを、基部の中央に当該収納庫の後方から前方に向かって下降する溝を有し、上記２以上のプーリは、上レールに当接する上プーリと、下レールに当接する下プーリと、溝に挿入される中央プーリとを含むとよい。これにより、好適に、アームを回動させて収納部を上昇させることが可能である。
【００１４】
上記アームは上記収納部に対して着脱可能であるとよい。これにより、掃除等の際に収納庫から引出を容易に取り外せる（引き抜ける）ため、使い勝手の向上を図れる。
【発明の効果】
【００１５】
本発明によれば、収納部の円滑な昇降動作と早期上昇とを両立し、かつレール部材の小型化を図ることが可能な収納庫を提供可能である。
【図面の簡単な説明】
【００１６】
【図１】本発明の第１の実施形態にかかる収納庫を備えるシステムキッチンを示す図である。
【図２】収納庫について説明する図である。
【図３】収納庫の壁面を省いた図である。
【図４】柱ユニットについて説明する図である。
【図５】アームと摺動部材との連結について説明する図である。
【図６】アームの後端を示す図である。
【図７】レール部材を示す図である。
【図８】収納部の昇降について説明する図である。
【図９】本発明の第２の実施形態にかかる収納庫の収納部の昇降について説明する図である。
【発明を実施するための形態】
【００１７】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１８】
[第１実施形態]
図１は、本発明の第１の実施形態にかかる収納庫１１０、１１２、１１４を備えるシステムキッチン１００を示す図である。なお、図中の矢印ＦＲは前方、矢印ＬＨは左方、矢印ＲＨは右方を示すものとする。
【００１９】
図１に示すように、システムキッチン１００は、一枚の天板１０２（ワークトップ）を使用して、コンロ１０４や調理スペース１０６、シンク１０８を一体的に設けたものである。ここでは、システムキッチン１００は、コンロキャビネットと称される収納庫１１０、ベースキャビネットと称される収納庫１１２、シンクキャビネットと称される収納庫１１４を備えている。各収納庫１１０〜１１４には、それぞれ、複数の引出１２０（図中、代表して１つに符号を付す）がスライド自在に収納される。
【００２０】
図２は、収納庫１１４について説明する図である。図３は収納庫１１４の壁面を省いた図であり、図３（ａ）、（ｂ）では、それぞれ、引出１２０の開閉度合を変えて図示している。なお、図３（ａ）、（ｂ）においては、収納庫１１４の開口部を破線で図示している。以下では、収納庫１１４を挙げて第１実施形態について説明するが、同様の説明を収納庫１１０、１１２にも適用可能である。
【００２１】
図２に示すように、収納庫１１４の引出１２０内部には、収納部１２２ａ、１２２ｂが配置される。ここでは、収納部１２２ａは包丁ラックである。収納部１２２ｂは上面が開口したポケットであって、お玉、ラップ等の種々の物品を収納可能である。収納部１２２ａ、１２２ｂは、梁１２４に引っかけられて支持される構造であって、梁１２４に対して容易に着脱（交換）することができる。
【００２２】
図３（ａ）、（ｂ）を参照しながら、収納部１２２ａ、１２２ｂの昇降機構の概略を説明する。上記のように、収納部１２２ａ、１２２ｂは梁１２４に支持される。梁１２４の両端には摺動部材１２８（図４参照）が取り付けられていて、柱ユニット１２６によって上下方向に平行移動可能になっている。アーム１３４の後端には、レール部材１４６上を走行するプーリ（上プーリ１４０、下プーリ１４２、中央プーリ１４４）が取り付けられている。引出１２０の出し入れに伴ってプーリ１４０、１４２、１４４がレール部材１４６上を走行すると、アーム１３４が回動して、収納部１２２ａ、１２２ｂの昇降動作が行われる。以下に、それぞれの要素について詳述する。
【００２３】
図４は柱ユニット１２６について説明する図であり、図４（ａ）がその分解斜視図、図４（ｂ）が図４（ａ）を組み立てた図である。図４（ａ）、（ｂ）に示すように、柱ユニット１２６は矩形状の筐体内部の側面に、上下方向に延びる路面１２６ａを有している。一方、梁１２４の両端に取り付けられた摺動部材１２８には、上下ローラ１２８ａ、１２８ｂが設けられている。そして、上下ローラ１２８ａ、１２８ｂが路面１２６ａに沿って走行することで、摺動部材１２８が上下に移動し、ひいては梁１２４に取り付けられた収納部１２２ａ、１２２ｂが上下に平行移動することができる。
【００２４】
柱ユニット１２６の筐体内部にはバネ１２６ｂが含まれており、摺動部材１２８を常に上方に付勢している。これにより、収納部１２２ａ、１２２ｂが上昇する際にその動きをアシスト（補助）することができ、収納部１２２ａ、１２２ｂの重さを軽減することができる。柱ユニット１２６は、引出１２０の前板１２０ａに固定されている。なお、柱ユニット１２６については、既に特許文献１（特開２０１０−２０１０６２号公報）に開示されているため、詳細な説明を省略する。
【００２５】
図５は、アーム１３４と摺動部材１２８との連結について説明する図であって、図２の範囲Ｅ１の拡大図である。図５（ａ）ではアーム１３４の連結前の状態を図示しており、図５（ｂ）ではアーム１３４の連結後の状態を図示している。図５（ａ）、（ｂ）に示すように、摺動部材１２８とアーム１３４とはラッチ機構１３０によって連結されている。
【００２６】
摺動部材１２８には、ラッチ機構１３０の爪部１３２が軸１２８ｃによって回動可能に軸支されている。そのため、アーム１３４を回動させることによって、摺動部材１２８を上下（真っ直ぐ）に移動させることができる。
【００２７】
爪部１３２はその側面に、弾性により後退可能な凸部１３２ａと、凸部１３２ａを後退させるための空隙１３２ｂとを有する。一方、アーム１３４は、中空であって爪部１３２を挿入可能に構成されており、その側面に凸部１３２ａと係合する孔部１３４ａを有する。
【００２８】
これより、爪部１３２にかぶせるようにアーム１３４を装着すると、凸部１３２ａと孔部１３４ａとが係合し、互いが連結固定される（アーム１３４は収納部１２２ａ、１２２ｂから引出１２０の後方に延びる）。なお、アーム１３４を取り外したい場合には、凸部１３２ａを押し込んで後退させ、爪部１３２からアーム１３４を引き抜けばよい。
【００２９】
このようにアーム１３４を着脱可能にしたことにより、収納庫１１４に対して、引出１２０本体とアーム１３４とを別々に着脱することができる。引出１２０本体とアーム１３４とが分離不能である場合は、引出１２０のレールと、アーム１３４および各プーリを全て同時に嵌めなければならない。引出１２０は相応に重量のあるものであり、４箇所を同時に位置合わせすることは難しい。
【００３０】
しかし、上記のように第１実施形態によれば、先にアーム１３４および各プーリを取り付け、次に引出１２０をその引出のレールに乗せ、後からアーム１３４を引出１２０に装着することができる。そのため、収納部１２２ａ、１２２ｂを備えていない引出と同等の労力で着脱を行うことが可能である。
【００３１】
図６はアーム１３４の後端を示す図である。図６に示すように、アーム１３４の後端には三角形状の三角片１３６が連続している。三角片１３６の各頂点の近傍には、それぞれ、カシメ１４０ａ、１４２ａ、１４４ａによって上プーリ１４０、下プーリ１４２、中央プーリ１４４が連結される。カシメ１４０ａ、１４２ａ、１４４ａで連結することで、ネジを用いた場合に発生し得るゆるみのおそれを排除することができる。
【００３２】
上プーリ１４０に対して下プーリ１４２は、前後方向において後方に離間して配置されている。また、上プーリ１４０に対して中央プーリ１４４も、前後方向において後方に離間して配置されている。なお、下プーリ１４２は、動作中に前後方向において上プーリ１４０とほぼ同じ前後位置まで移動しても良いが、上プーリ１４０より前の位置まで出ることはない。
【００３３】
図７は、レール部材１４６を示す図であり、図７（ａ）がその外観図、図７（ｂ）が図７（ａ）のＡ−Ａ断面図である。かかるレール部材１４６は、収納庫１１４の壁面に設置される。
【００３４】
図７（ａ）、（ｂ）に示すように、レール部材１４６は、引出１２０の移動方向に延設された板状の基部の上面に上レール１４８を、下面に下レール１５０を、基部の中央に溝（以下、「中央レール１５２」と称する）を有する。
【００３５】
上レール１４８は略水平に延びていて、上プーリ１４０が当接（走行）する。これに対し、下レール１５０は、その両端は略水平であるが、中央付近では収納庫１１４の後方から前方に向かって若干下方に膨らんでいる（以下、この部分を「膨出部１５０ｂ」と称する）。同様に、中央レール１５２も、その両端は略水平であるが、中央付近では収納庫１１４の後方から前方に向かって下降するように傾斜している（以下、この部分を「傾斜部１５２ａ」と称する）。下レール１５０には下プーリ１４２が当接（走行）し、中央レール１５２には中央プーリ１４４が挿入される（走行する）。
【００３６】
下レール１５０に膨出部１５０ｂ、中央レール１５２に傾斜部１５２ａが設定されるのは、上下方向には案内されない前方の上プーリ１４０に対して、後方の下プーリ１４２や中央プーリ１４４を下方に案内して、これらが連結されている（連続している）三角片１３６を回動させるためである。ここで、上プーリ１４０、下プーリ１４２、中央プーリ１４４の各プーリ間の距離は一定であり、上レール１４８、下レール１５０、中央レール１５２は、各プーリ間の距離を考慮して設計される。すなわち、下レール１５０の膨出部１５０ｂ、中央レール１５２の傾斜部１５２ａは、三角片１３６（下プーリ１４２、中央プーリ１４４）の回動の軌跡に対応するように、互いに調整されている（下プーリ１４２が下レール１５０に、中央プーリ１４４が中央レール１５２に沿うように設計される）。
【００３７】
図７（ｂ）に示すように、レール部材１４６は、上プーリ１４０、下プーリ１４２が当接する走行面すなわち上レール１４８、下レール１５０の縁に脱輪防止用のリブ１４８ａ、１５０ａを備えている。少なくとも上レール１４８、下レール１５０の縁に脱輪防止用のリブ１４８ａ、１５０ａを備えることで、上プーリ１４０、下プーリ１４２ばかりか中央プーリ１４４の脱落（抜け）をも防止することができる。
【００３８】
図８は、収納部１２２ａ、１２２ｂの昇降について説明する図である。図８（ａ）では引出１２０が閉められた状態を図示しており、図８（ｂ）では引出１２０が半分くらいまで引き出された状態を図示しており、図８（ｃ）では引出１２０が完全に引き出された（開けられた）状態を図示している。
【００３９】
図８（ａ）に示すように、引出１２０が閉められた状態では、アーム１３４の後端に連結された三角片１３６が、前方に上プーリ１４０、その若干後方に下プーリ１４２、さらにその後方に中央プーリ１４４が存在するよう傾いた姿勢で配置されている。アーム１３４は、後端から前端に向かって下降するような姿勢で配置されている。
【００４０】
図８（ａ）の状態から引出１２０が引き出されると、前板１２０ａに連結された柱ユニット１２６、摺動部材１２８、爪部１３２を介して、アーム１３４が前方へと引っ張られる。これにより、やがて、下プーリ１４２が膨出部１５０ｂへ、中央プーリ１４４が傾斜部１５２ａへさしかかる。
【００４１】
図８（ｂ）に示すように、膨出部１５０ｂや傾斜部１５２ａによって、下プーリ１４２や中央プーリ１４４が相対的に下方に案内されると、三角片１３６が矢印Ｃ１方向に回動する（上プーリ１４０に対し、下プーリ１４２や中央プーリ１４４の前後差が縮小されてゆく）ことにより、アーム１３４が矢印Ｃ１方向に回動し、アーム１３４の前端が上昇する。上述したようにアーム１３４の前端はラッチ機構１３０（爪部１３２）を介して摺動部材１２８の軸１２８ｃに回動可能に接続されている（図５（ａ）、（ｂ）参照）。これにより、アーム１３４が回動して前端が上昇してくるとしても、摺動部材１２８の上下ローラ１２８ａ、１２８ｂを上下に移動（走行）させ、収納部１２２ａ、１２２ｂを真っ直ぐ上昇させることができる。
【００４２】
図８（ｃ）に示すように、引出１２０が完全に引き出されるまでに、上プーリ１４０に対し下プーリ１４２の前後差が殆どなくなるまで三角片１３６が回動し、アーム１３４は後端から前端に向かって略水平になるように回動する。このようにして、ユーザが引出１２０を引き出すだけで、収納部１２２ａ、１２２ｂを上昇させることができ、これらに収容された物品を取り出しやすくなるため、使い勝手の向上を図ることができる。
【００４３】
なお、引出１２０を押し込む際には、上記と逆の動作によって収納部１２２ａ、１２２ｂが下降する。すなわち、図８（ｃ）に示す状態から、図８（ｂ）に示す状態になり、最終的に図８（ａ）に示す状態に戻って、引出１２０が閉じられる。
【００４４】
以上、上述した第１実施形態にかかる収納庫１１４では、レール部材１４６やプーリの設定により、引出１２０を引き出すにしたがって、アーム１３４が回動して、収納部１２２ａ、１２２ｂが昇降する。これにより、特許文献１に記載されているようにアーム１３４を上下方向に平行移動して収納部１２２ａ、１２２ｂを昇降させるよりも、一連の動作（昇降動作）を円滑に行うことが可能であり、収納部１２２ａ、１２２ｂのがたつきを抑えることができる。
【００４５】
また、円滑に昇降動作が可能なことから、引出１２０の移動量に対する収納部１２２ａ、１２２ｂの昇降動作を急峻にすることができる。このことから、収納部１２２ａ、１２２ｂがわずかに露出した早期の時点で上昇させることができ、少ない引出量で頂点まで上昇させることが可能となる。このようにして、円滑動作と早期上昇を両立させることが可能となる。
【００４６】
また、アーム１３４を回動させて収納部１２２ａ、１２２ｂを昇降させるようにしたことで、プーリ（下プーリ１４２、中央プーリ１４４）が昇降するよりも大きく収納部１２２ａ、１２２ｂを昇降させることが可能となる。そのため、レール部材１４６の上下幅を縮小可能となり、従来、仕様によっては生じていたレイアウト上の問題を解決できる。
【００４７】
なお、上記では、上プーリ１４０、下プーリ１４２、中央プーリ１４４およびこれらのレールを設ける構成としたが、引出１２０が閉められた状態において前後方向に離間した２つのプーリが設定されていればよい。すなわち、引出１２０が引き出されるにしたがって前後方向に離間した２つのプーリの上下の位置関係を変えるように構築すれば、アーム１３４（三角片１３６）を回動させることができるのである。ただし、上記のように３つのプーリを設定することで、各プーリにかかる荷重が低減されるため、より好適に収納部１２２ａ、１２２ｂを昇降させることができる。
【００４８】
なお、第１実施形態にかかる収納庫１１４は左右対称の構成であり、柱ユニット１２６、摺動部材１２８（軸１２８ｃ）、爪部１３２、アーム１３４、三角片１３６、上プーリ１４０、下プーリ１４２、中央プーリ１４４、レール部材１４６は、左右両側にそれぞれ備えられるものとする。
【００４９】
[第２実施形態]
図９は、本発明の第２の実施形態にかかる収納庫の収納部１２２ａ、１２２ｂの昇降について説明する図である。図９（ａ）では引出１２０が閉められた状態を図示しており、図９（ｂ）では引出１２０が半分くらいまで引き出された状態を図示しており、図９（ｃ）では引出１２０が完全に引き出された（開けられた）状態を図示している。
【００５０】
第１実施形態にかかる収納庫１１４と第２実施形態にかかる収納庫の差異は、三角片２３６（上プーリ２４０、下プーリ２４２、中央プーリ２４４）およびレール部材２４６（中央レール２５２）である。第２実施形態では、三角片２３６において、中央プーリ２４４が最も前方に配置されている。換言すれば、中央プーリ２４４に対して上プーリ２４０、下プーリ２４２が前後方向において後方に離間して配置されている。
【００５１】
レール部材２４６の上面には、第１実施形態と同様に略水平に延びる上レール１４８が設けられる。レール部材２４６の下面にも第１実施形態と同様に、膨出部１５０ｂを有する下レール１５０が設けられる。しかし、基部の中央に形成される中央レール２５２の傾斜部２５２ａは、収納庫の後方から前方に向かって上昇するように設定される。
【００５２】
図９（ａ）に示すように、引出１２０が閉められた状態では、アーム１３４の後端に連結された三角片２３６が、前方に中央プーリ２４４、その後方に上プーリ２４０、その若干後方に下プーリ２４２が存在するよう傾いた姿勢で配置されている。アーム１３４は、後端から前端に向かって下降するような姿勢で配置されている。
【００５３】
図９（ｂ）に示すように、中央プーリ２４４が傾斜部２５２ａにさしかかると、この傾斜部２５２ａによって徐々に上方に案内される。また、下プーリ２４２が膨出部１５０ｂにさしかかると、この膨出部１５０ｂによって徐々に下方に案内される。すなわち、中央プーリ２４４に対し、上プーリ２４０および下プーリ２４２は相対的に下方に案内される。これにより、三角片２３６を矢印Ｃ１方向に回動させて、略水平になるまでアーム１３４を回動させることできる（図９（ｃ）参照）。このように、前方にある中央プーリ２４４を上方に案内する構成によっても、第１実施形態と同様の効果を奏することが可能である。
【００５４】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５５】
本発明は、引出を備える収納庫として利用することができる。
【符号の説明】
【００５６】
１００…システムキッチン、１０２…天板、１０４…コンロ、１０６…調理スペース、１０８…シンク、１１０、１１２、１１４…収納庫、１２０…引出、１２０ａ…前板、１２２ａ、１２２ｂ…収納部、１２４…梁、１２６…柱ユニット、１２６ａ…路面、１２６ｂ…バネ、１２８…摺動部材、１２８ａ、１２８ｂ…上下ローラ、１２８ｃ…軸、１３０…ラッチ機構、１３２…爪部、１３２ａ…凸部、１３２ｂ…空隙、１３４…アーム、１３４ａ…孔部、１３６…三角片、１４０…上プーリ、１４２…下プーリ、１４４…中央プーリ、１４０ａ、１４２ａ、１４４ａ…カシメ、１４６…レール部材、１４８…上レール、１４８ａ…リブ、１５０…下レール、１５０ａ…リブ、１５０ｂ…膨出部、１５２…中央レール、１５２ａ…傾斜部、２３６…三角片、２４０…上プーリ、２４２…下プーリ、２４４…中央プーリ、２４６…レール部材、２５２…中央レール、２５２ａ…傾斜部
【図１】
0005611073.tif 000002
【図２】
0005611073.tif 000003
【図３】
0005611073.tif 000004
【図４】
0005611073.tif 000005
【図５】
0005611073.tif 000006
【図６】
0005611073.tif 000007
【図７】
0005611073.tif 000008
【図８】
0005611073.tif 000009
【図９】
0005611073.tif 000010